(57)【要約】【課題】  電力伝導干渉を抑制する電源供給回路の提供。【解決手段】  電源供給回路が電源入力ユニットに並列に接続された第１電力回路と第２電力回路を包含し、且つ該負荷が第１負荷と第２負荷を包含し、第１電力回路が電源入力ユニットに接続された第１整流ユニット及び第１整流ユニットに接続され電源開閉ユニットに接続された常備電力ユニットと第１負荷に接続された第１電源ユニットを包含し、且つ第２電力回路が第２整流ユニット及び該第２整流ユニットに接続されて第２負荷に接続された第２電源ユニットを包含し、第１負荷と第１電源ユニットが共接地し、第２負荷と第２電源ユニットが共接地し、これにより第１負荷と第２負荷の接地形態が非共接地形態とされて相互電力伝導干渉を抑制する。【選択図】        図３
2006074985.tif 000002
【特許請求の範囲】
【請求項１】
電源入力ユニットが入力する電力信号を受け取り電力を変換して負荷を駆動するのに用いられる電源供給回路であって、
該電源供給回路が電源入力ユニットに並列に接続された第１電力回路と第２電力回路を包含し、且つ該負荷が第１負荷と第２負荷を包含し、第１電力回路が電源入力ユニットに接続された第１整流ユニット及び第１整流ユニットに接続され電源開閉ユニットに接続された常備電力ユニットと第１負荷に接続された第１電源ユニットを包含し、且つ第２電力回路が第２整流ユニット及び該第２整流ユニットに接続されて第２負荷に接続された第２電源ユニットを包含し、第１負荷と第１電源ユニットが共接地し、第２負荷と第２電源ユニットが共接地し、これにより第１負荷と第２負荷の接地形態が非共接地形態とされて相互電力伝導干渉を抑制することを特徴とする、電力伝導干渉を抑制する電源供給回路。
【請求項２】
請求項１記載の電力伝導干渉を抑制する電源供給回路において、常備電力ユニットが、整流後の電力信号を受け取り並びに駆動信号を出力する第１駆動回路と電力信号を変換する第１変圧ユニットとを包含することを特徴とする、電力伝導干渉を抑制する電源供給回路。
【請求項３】
請求項１記載の電力伝導干渉を抑制する電源供給回路において、第１電源ユニットが整流後の電力信号に対してパワー因数校正を行なう第１パワー因数調整ユニット、パワー因数校正後の電力信号を受け取り並びに駆動信号を出力する第２駆動回路、及び、駆動信号を受け取り電力変換する第２変圧ユニットを包含することを特徴とする、電力伝導干渉を抑制する電源供給回路。
【請求項４】
請求項３記載の電力伝導干渉を抑制する電源供給回路において、電源開閉ユニットがオンオフ信号を出力して第１パワー因数調整ユニット及び第２駆動回路をオン或いはオフし、且つ第２変圧ユニットより電力信号を出力して第２電力回路を起動することを特徴とする、電力伝導干渉を抑制する電源供給回路。
【請求項５】
請求項３記載の電力伝導干渉を抑制する電源供給回路において、電源開閉ユニットがオンオフ信号を出力して第１パワー因数調整ユニット及び第２駆動回路をオン或いはオフし、且つ第２駆動回路より駆動信号を出力して第２電力回路を起動することを特徴とする、電力伝導干渉を抑制する電源供給回路。
【請求項６】
請求項１記載の電力伝導干渉を抑制する電源供給回路において、第２電源ユニットがインバータとされ、該インバータが第２整流ユニットに接続された第３駆動回路と第３駆動回路及び第２負荷に接続された第３変圧ユニットを包含することを特徴とする、電力伝導干渉を抑制する電源供給回路。
【請求項７】
請求項６記載の電力伝導干渉を抑制する電源供給回路において、第２電源ユニットと第２整流ユニットの間に、整流後の電力信号に対してパワー因数校正を行なう第２パワー因数調整ユニットが配置されたことを特徴とする、電力伝導干渉を抑制する電源供給回路。
【請求項８】
請求項１記載の電力伝導干渉を抑制する電源供給回路において、電源開閉ユニットがオンオフ信号を出力して第１電源ユニットをオン或いはオフし、且つ第１電源ユニットより電力信号を出力して第２電力回路を起動することを特徴とする、電力伝導干渉を抑制する電源供給回路。
【請求項９】
請求項１記載の電力伝導干渉を抑制する電源供給回路において、電源開閉ユニットがオンオフ信号を出力して第１電源ユニットをオン或いはオフし、且つ第１電源ユニットより駆動信号を出力して第２電力回路を起動することを特徴とする、電力伝導干渉を抑制する電源供給回路。
【請求項１０】
請求項１記載の電力伝導干渉を抑制する電源供給回路において、電源開閉ユニットがオンオフ信号を出力して第１電源ユニットをオン或いはオフすると共に、第２電力回路をオン或いはオフすることを特徴とする、電力伝導干渉を抑制する電源供給回路。
【請求項１１】
請求項１記載の電力伝導干渉を抑制する電源供給回路において、第１整流ユニットが電源入力ユニットに並列に接続された主整流器と副整流器で構成され、該主整流器が第１電源ユニットに接続され、該副整流器が常備電力ユニットに接続され、常備電力ユニットに常態で副整流器が変換した電源入力ユニットの入力した電力を受け取らせ、且つ常備電力ユニットに常態で電源開閉ユニットに運転電力を提供させることを特徴とする、電力伝導干渉を抑制する電源供給回路。
【請求項１２】
電源入力ユニットの入力する電力信号を電力変換して負荷を駆動する電源供給回路であって、該負荷が低電圧電力駆動の第１負荷と高電圧電力駆動の第２負荷を包含し、且つ電源供給回路が、電源入力ユニットに並列に接続され且つそれぞれが第１、２整流ユニットを具えた第１電力回路と第２電力回路を具え、該第１電力回路が電力を変換して低電圧電力信号を第１負荷に出力し、第２電力回路が電力変換して高電圧電力信号を第２負荷に出力し、並びに第１負荷と第２負荷が非共接地形態で第１電力回路及び第２電力回路に接続されたことを特徴とする、電力伝導干渉を抑制する電源供給回路。
【請求項１３】
請求項１２記載の電力伝導干渉を抑制する電源供給回路において、第１電力回路が電源入力ユニットに接続された第１整流ユニットと第１整流ユニットに接続されて電源開閉ユニットに接続された常備電力ユニット及び第１負荷に接続された第１電源ユニットを具えたことを特徴とする、電力伝導干渉を抑制する電源供給回路。
【請求項１４】
請求項１３記載の電力伝導干渉を抑制する電源供給回路において、電源開閉ユニットがオンオフ信号を出力して第１電源ユニットをオン或いはオフし、且つ第１電源ユニットの出力する電力信号が第２電力回路を起動することを特徴とする、電力伝導干渉を抑制する電源供給回路。
【請求項１５】
請求項１３記載の電力伝導干渉を抑制する電源供給回路において、電源開閉ユニットがオンオフ信号を出力して第１電源ユニットをオン或いはオフし、且つ第１電源ユニットが駆動信号を出力して第２電力回路を起動することを特徴とする、電力伝導干渉を抑制する電源供給回路。
【請求項１６】
請求項１３記載の電力伝導干渉を抑制する電源供給回路において、電源開閉ユニットがオンオフ信号を出力して第１電源ユニットをオン或いはオフすると共に、第２電力回路をオン或いはオフすることを特徴とする、電力伝導干渉を抑制する電源供給回路。
【請求項１７】
請求項１３記載の電力伝導干渉を抑制する電源供給回路において、第１整流ユニットが電源入力ユニットに並列に接続された主整流器と副整流器で構成され、該主整流器が第１電源ユニットに接続され、該副整流器が常備電力ユニットに接続され、常備電力ユニットに常態で副整流器が変換した電源入力ユニットの入力した電力を受け取らせ、且つ常備電力ユニットに常態で電源開閉ユニットに運転電力を提供させることを特徴とする、電力伝導干渉を抑制する電源供給回路。
【発明の詳細な説明】
【技術分野】
【０００１】
本発明は電力伝導干渉を抑制する電源供給回路に係り、特に、異なる波動電圧のマルチ負荷に応用され、相互間接地形態を非共接地形態とし、これにより相互電力伝導干渉を抑制する、電力伝導干渉を抑制する電源供給回路に関する。
【背景技術】
【０００２】
図１は伝統的な液晶ディスプレイ或いは液晶テレビ等、ビデオ製品の電源供給回路のブロック図である。ビデオ製品は商用電源の電源入力ユニットに接続され、電源入力ユニットにより交流電力信号を入力し、この交流電力信号をダイオード群からなる整流ユニットで電力変換し並びにパルス直流電力信号となし、更にパワー因数調整ユニットでパワー因数校正を行なって直流電力信号となし、この直流電力信号をインバータと第２駆動回路に並列に出力し、第２駆動回路を通して第２変圧ユニットに送り、第２変圧ユニットにより降圧して低電圧電力信号として出力して第１負荷を駆動し、インバータは昇圧して高電圧電力信号を出力して第２負荷を駆動する。ここでいわゆる第１負荷はビデオ信号処理回路板（ＡＤ  ＢＯＡＲＤ）、スピーカ等の低電圧で駆動しなければならない装置を包含し、第２負荷はディスプレイ輝度を提供する冷陰極ランプとされ、該整流ユニットはまた並列に常備電力ユニットに接続され、常備電力ユニットは第１駆動回路と第１変圧器を包含し、該第１変圧器は常備電力を電源開閉ユニットに提供し、使用者がリモコン或いは押しボタンスイッチを走査してディスプレイのオンオフ操作を行なえるようにする。
【０００３】
伝統的なビデオ製品の電気回路ブロック図より分かるように、電力ソースはいずれも同一の整流ユニット、同一の駆動回路に属し、これにより、第１負荷と第２負荷は共接地の状態とされ、第１負荷は低電圧電力で駆動され、且つ駆動過程中に安定した直流電力信号を維持する必要があり、もし電力信号が干渉を受けて波動を発生すると、第１負荷の作動効率に影響が生じ、例えばディスプレイに波紋が発生するか、カラー反応が不均一となるか、或いはスピーカの出力音質が不純となり、雑音が発生する等の現象が発生する。干渉を発生する原因は、インバータの昇圧作動方式に振動波動方式が採用され、特に圧電式変圧器のインバータが採用され、共振が圧電効果を発生し、波動電気エネルギーが共接地端より第１負荷に影響を与え、第１負荷がインバータの電力伝導干渉を受けることにある。この現象は大サイズのビデオ製品で更に容易に発生し、ビデオ製品の正常な画像及び音声表現上、非常に大きな影響を与える。
【発明の開示】
【発明が解決しようとする課題】
【０００４】
本発明の主要な目的は、上述の欠点を解決し、欠点の存在を回避することにあり、このために本発明は分離電力供給方式を採用し、低電圧駆動の第１負荷と高電圧駆動の第２負荷の電力ソースをそれぞれ処理し、且つ非共接地形態となす。本発明は、電源供給回路が電源入力ユニットに並列に接続され且つ個別に第１、２負荷に接続された第１電力回路と第２電力回路を包含し、第１負荷と第１電力回路が共接地し、第２負荷と第２電力回路が共接地し、これにより第１負荷と第２負荷の接地形態が非共接地形態とされて相互電力伝導干渉が抑制される。
【０００５】
本発明のもう一つの目的は、本発明において電力供給は分離するが、単一の電源開閉ユニットは保留し、これにより同期に全ての装置の動作を起動してそのビデオ製品の反応効率に影響を与えないようにすることにある。
【課題を解決するための手段】
【０００６】
請求項１の発明は、電源入力ユニットが入力する電力信号を受け取り電力を変換して負荷を駆動するのに用いられる電源供給回路であって、
該電源供給回路が電源入力ユニットに並列に接続された第１電力回路と第２電力回路を包含し、且つ該負荷が第１負荷と第２負荷を包含し、第１電力回路が電源入力ユニットに接続された第１整流ユニット及び第１整流ユニットに接続され電源開閉ユニットに接続された常備電力ユニットと第１負荷に接続された第１電源ユニットを包含し、且つ第２電力回路が第２整流ユニット及び該第２整流ユニットに接続されて第２負荷に接続された第２電源ユニットを包含し、第１負荷と第１電源ユニットが共接地し、第２負荷と第２電源ユニットが共接地し、これにより第１負荷と第２負荷の接地形態が非共接地形態とされて相互電力伝導干渉を抑制することを特徴とする、電力伝導干渉を抑制する電源供給回路としている。
請求項２の発明は、請求項１記載の電力伝導干渉を抑制する電源供給回路において、常備電力ユニットが、整流後の電力信号を受け取り並びに駆動信号を出力する第１駆動回路と電力信号を変換する第１変圧ユニットとを包含することを特徴とする、電力伝導干渉を抑制する電源供給回路としている。
請求項３の発明は、請求項１記載の電力伝導干渉を抑制する電源供給回路において、第１電源ユニットが整流後の電力信号に対してパワー因数校正を行なう第１パワー因数調整ユニット、パワー因数校正後の電力信号を受け取り並びに駆動信号を出力する第２駆動回路、及び、駆動信号を受け取り電力変換する第２変圧ユニットを包含することを特徴とする、電力伝導干渉を抑制する電源供給回路としている。
請求項４の発明は、請求項３記載の電力伝導干渉を抑制する電源供給回路において、電源開閉ユニットがオンオフ信号を出力して第１パワー因数調整ユニット及び第２駆動回路をオン或いはオフし、且つ第２変圧ユニットより電力信号を出力して第２電力回路を起動することを特徴とする、電力伝導干渉を抑制する電源供給回路としている。
請求項５の発明は、請求項３記載の電力伝導干渉を抑制する電源供給回路において、電源開閉ユニットがオンオフ信号を出力して第１パワー因数調整ユニット及び第２駆動回路をオン或いはオフし、且つ第２駆動回路より駆動信号を出力して第２電力回路を起動することを特徴とする、電力伝導干渉を抑制する電源供給回路としている。
請求項６の発明は、請求項１記載の電力伝導干渉を抑制する電源供給回路において、第２電源ユニットがインバータとされ、該インバータが第２整流ユニットに接続された第３駆動回路と第３駆動回路及び第２負荷に接続された第３変圧ユニットを包含することを特徴とする、電力伝導干渉を抑制する電源供給回路としている。
請求項７の発明は、請求項６記載の電力伝導干渉を抑制する電源供給回路において、第２電源ユニットと第２整流ユニットの間に、整流後の電力信号に対してパワー因数校正を行なう第２パワー因数調整ユニットが配置されたことを特徴とする、電力伝導干渉を抑制する電源供給回路としている。
請求項８の発明は、請求項１記載の電力伝導干渉を抑制する電源供給回路において、電源開閉ユニットがオンオフ信号を出力して第１電源ユニットをオン或いはオフし、且つ第１電源ユニットより電力信号を出力して第２電力回路を起動することを特徴とする、電力伝導干渉を抑制する電源供給回路としている。
請求項９の発明は、請求項１記載の電力伝導干渉を抑制する電源供給回路において、電源開閉ユニットがオンオフ信号を出力して第１電源ユニットをオン或いはオフし、且つ第１電源ユニットより駆動信号を出力して第２電力回路を起動することを特徴とする、電力伝導干渉を抑制する電源供給回路としている。
請求項１０の発明は、請求項１記載の電力伝導干渉を抑制する電源供給回路において、電源開閉ユニットがオンオフ信号を出力して第１電源ユニットをオン或いはオフすると共に、第２電力回路をオン或いはオフすることを特徴とする、電力伝導干渉を抑制する電源供給回路としている。
請求項１１の発明は、請求項１記載の電力伝導干渉を抑制する電源供給回路において、第１整流ユニットが電源入力ユニットに並列に接続された主整流器と副整流器で構成され、該主整流器が第１電源ユニットに接続され、該副整流器が常備電力ユニットに接続され、常備電力ユニットに常態で副整流器が変換した電源入力ユニットの入力した電力を受け取らせ、且つ常備電力ユニットに常態で電源開閉ユニットに運転電力を提供させることを特徴とする、電力伝導干渉を抑制する電源供給回路としている。
請求項１２の発明は、電源入力ユニットの入力する電力信号を電力変換して負荷を駆動する電源供給回路であって、該負荷が低電圧電力駆動の第１負荷と高電圧電力駆動の第２負荷を包含し、且つ電源供給回路が、電源入力ユニットに並列に接続され且つそれぞれが第１、２整流ユニットを具えた第１電力回路と第２電力回路を具え、該第１電力回路が電力を変換して低電圧電力信号を第１負荷に出力し、第２電力回路が電力変換して高電圧電力信号を第２負荷に出力し、並びに第１負荷と第２負荷が非共接地形態で第１電力回路及び第２電力回路に接続されたことを特徴とする、電力伝導干渉を抑制する電源供給回路としている。
請求項１３の発明は、請求項１２記載の電力伝導干渉を抑制する電源供給回路において、第１電力回路が電源入力ユニットに接続された第１整流ユニットと第１整流ユニットに接続されて電源開閉ユニットに接続された常備電力ユニット及び第１負荷に接続された第１電源ユニットを具えたことを特徴とする、電力伝導干渉を抑制する電源供給回路としている。
請求項１４の発明は、請求項１３記載の電力伝導干渉を抑制する電源供給回路において、電源開閉ユニットがオンオフ信号を出力して第１電源ユニットをオン或いはオフし、且つ第１電源ユニットの出力する電力信号が第２電力回路を起動することを特徴とする、電力伝導干渉を抑制する電源供給回路としている。
請求項１５の発明は、請求項１３記載の電力伝導干渉を抑制する電源供給回路において、電源開閉ユニットがオンオフ信号を出力して第１電源ユニットをオン或いはオフし、且つ第１電源ユニットが駆動信号を出力して第２電力回路を起動することを特徴とする、電力伝導干渉を抑制する電源供給回路としている。
請求項１６の発明は、請求項１３記載の電力伝導干渉を抑制する電源供給回路において、電源開閉ユニットがオンオフ信号を出力して第１電源ユニットをオン或いはオフすると共に、第２電力回路をオン或いはオフすることを特徴とする、電力伝導干渉を抑制する電源供給回路としている。
請求項１７の発明は、請求項１３記載の電力伝導干渉を抑制する電源供給回路において、第１整流ユニットが電源入力ユニットに並列に接続された主整流器と副整流器で構成され、該主整流器が第１電源ユニットに接続され、該副整流器が常備電力ユニットに接続され、常備電力ユニットに常態で副整流器が変換した電源入力ユニットの入力した電力を受け取らせ、且つ常備電力ユニットに常態で電源開閉ユニットに運転電力を提供させることを特徴とする、電力伝導干渉を抑制する電源供給回路としている。
【発明の効果】
【０００７】
本発明の電力伝導干渉を抑制する電源供給回路は、異なる波動電圧のマルチ負荷に応用され、相互間接地形態を非共接地形態とし、これにより相互電力伝導干渉を抑制する。
【発明を実施するための最良の形態】
【０００８】
図２、３は本発明の第１電力回路の電気回路ブロック図である。図示されるように、電源入力ユニット１０が入力する電力信号は、電源供給回路で変換されて負荷を駆動する。そのうち、該負荷は低電圧駆動の第１負荷４０と高電圧駆動の第２負荷５０を包含し、且つ電源供給回路は並列に電源入力ユニット１０に接続され且つそれぞれ第１、２整流ユニット２１、３１を具えた第１電力回路２０及び第２電力回路３０を包含する。第１電力回路２０は電力を低電圧電力信号に変換して第１負荷４０に出力し、第２電力回路３０は電力を高電圧電力信号に変換して第２負荷５０に出力し、並びに第１負荷４０と第２負荷５０の接地４１、５１は非共接地形態とされて第１電力回路２０及び第２電力回路３０に接続される。
【０００９】
上述の第１電力回路２０は電源入力ユニット１０に接続された第１整流ユニット２１と第１整流ユニット２１に並列に接続されて電源開閉ユニット２４に接続された常備電力ユニット２２と第１負荷４０に接続された第１電源ユニット２３を具え、該常備電力ユニット２２は整流後の電力信号を受け取り並びに駆動信号を出力する第１駆動回路２２１及び電力信号を変換する第１変圧ユニット２２２を包含し、前述の第１電源ユニット２３は整流後の電力信号に対してパワー因数校正を行なう第１パワー因数調整ユニット２３１、パワー因数校正後の電力信号を受け取り並びに駆動信号を出力する第２駆動回路２３２、及び駆動信号を受け取り電力変換を行なう第２変圧ユニット２３３を包含する。
【００１０】
第２電力回路３０は第２整流ユニット３１と第２整流ユニット３１に接続されて第２負荷５０に接続された第２電源ユニット３３を具え、該第２電源ユニット３３はインバータとされ、該インバータは第２整流ユニット３１に接続された第３駆動回路３３１と第３駆動回路３３１及び第２負荷５０に接続された第３変圧ユニット３３２を包含し、且つ第２電源ユニット３３と第２整流ユニット３１の間に整流後の電力信号に対してパワー因数校正を行なう第２パワー因数調整ユニット３２が配置されている（もし第２パワー因数調整ユニット３２が無ければ、第２整流ユニット３１がパルス直流電力信号を出力し、第２パワー因数調整ユニット３２が有れば、安定化電圧直流電力信号が出力され、この二種類の電力信号はいずれもインバータを駆動し昇圧するのに供される）。
【００１１】
図３中、使用者がビデオ製品を起動する時、電源開閉ユニット２４はオン信号を第１パワー因数調整ユニット２３１及び第２駆動回路２３２に出力し、電源入力ユニット１０が入力した交流電力信号をダイオード群の第１整流ユニット２１で整流した後、パワー因数校正を行なう第１パワー因数調整ユニット２３１及び第２駆動回路２３２により直流電力信号として第２変圧ユニット２３３に出力し、第２変圧ユニット２３３が電力変換して低電圧電力信号となし、この低電圧電力信号を出力してビデオ処理回路板（ＡＤ  ＢＯＡＲＤ）、スピーカ等の低電圧駆動装置を駆動する。同時に、第２パワー因数調整ユニット３２と第２電力回路３０の第３駆動回路３３１に分流し（或いは第３駆動回路３３１が自己電力供給する）、第２パワー因数調整ユニット３２を同期に起動して第２整流ユニット３１が整流した後の電力信号を受け取らせ、並びに第２電源ユニット３３に出力させ、第３駆動回路３３１を通して第３変圧ユニット３３２に送り電力変換させ並びに昇圧させて高電圧電力信号となし、この高電圧電力信号で冷陰極ランプのような第２負荷５０を駆動する。
【００１２】
総合すると、第１負荷４０と第２負荷５０は個別に第１電源ユニット２３と第２電源ユニット３３の電力出力を受け、即ち、第１負荷４０と第２負荷５０は非共接地形態の回路設計とされ、これにより低電圧電力信号で駆動される第１負荷４０が接地端より伝導される第２負荷５０の波動電気エネルギーを受けず、第１負荷４０が低電圧安定化電圧下に維持され作動し、これにより第１負荷４０が正常な品質のパワー出力を維持する。
【００１３】
図４は本発明の第２電気回路ブロック図である。本実施例と上述の実施例の違いはオンオフ信号の伝送方式の違いである。上述の実施例では、第１電源ユニット２３の第２変圧ユニット２３３が出力する電力信号により第２電力回路３０が駆動されたが、本実施例では、電源開閉ユニット２４がオンオフ信号を出力して第１電源ユニット２３の第１パワー因数調整ユニット２３１及び第２駆動回路２３２をオン或いはオフし、更に第２駆動回路２３２より駆動信号を出力して第２電力回路３０の第２パワー因数調整ユニット３２及び第３駆動回路３３１を起動する。その他は上述の実施例と同じであるため、説明を省略する。
【００１４】
図５は本発明の第３電気回路ブロック図である。本実施例と上述の実施例の違いはオンオフ信号の伝送方式の違いである。本実施例では、電源開閉ユニット２４が開閉信号を出力して第１電源ユニット２３及び第２電力回路３０をオン或いはオフし、開閉信号の伝送点は第１電源ユニット２３の第１パワー因数調整ユニット２３１、第２駆動回路２３２、第２電力回路３０の第２パワー因数調整ユニット３２及び第３駆動回路３３１とされ得て（そのうち各一組を駆動或いは全部駆動とされる）、その他の機能の特徴は上述の実施例と同じである。このほか、周知の技術から分かるように、第１整流ユニット２１はまた並列に電源入力ユニット１０に接続された主整流器２１２及び副整流器２１１で構成可能で、そのうち、主整流器２１２は第１電源ユニット２３に接続され、該副整流器２１１は常備電力ユニット２２に接続され、常備電力ユニット２２に常態で副整流器２１１が変換した電源入力ユニット１０の入力電力を受け取らせ、且つ常備電力ユニット２２は常態で運転電力を電源開閉ユニット２４に提供し、本実施例は十分に本発明がこの整流手段を適用できることを示す。
【図面の簡単な説明】
【００１５】
【図１】伝統的なビデオ製品の電源供給回路のブロック図である。
【図２】本発明の全体の回路ブロック図である。
【図３】本発明の第１実施例の回路ブロック図である。
【図４】本発明の第２実施例の回路ブロック図である。
【図５】本発明の第３実施例の回路ブロック図である。
【符号の説明】
【００１６】
１０  電源入力ユニット
２０  第１電力回路
２１  第１整流ユニット
２１１  副整流器
２１２  主整流器
２２  常備電力ユニット
２２１  第１駆動回路
２２２  第１変圧ユニット
２３  第１電源ユニット
２３１  第１パワー因数調整ユニット
２３２  第２駆動回路
２３３  第２変圧ユニット
２４  電源開閉ユニット
３０  第２電力回路
３１  第２整流ユニット
３２  第２パワー因数調整ユニット
３３  第２電源ユニット
３３１  第３駆動回路
３３２  第３変圧ユニット
４０  第１負荷
４１  接地
５０  第２負荷
５１  接地
【図１】
2006074985.tif 000003
【図２】
2006074985.tif 000004
【図３】
2006074985.tif 000005
【図４】
2006074985.tif 000006
【図５】
2006074985.tif 000007